(57)【要約】      （修正有）【課題】ヘアスプレー等の噴霧や、軽度な煙や臭いや刺激臭等から顔の皮膚を守ったり、呼吸を確保するためのフェースカバーを提供する。【解決手段】フェースカバーは顔型に形成しフェースとの密着性を高めると共に、呼吸用の吸引口や吸引管を設けたものである。更には吸引管にフィルタを設けたものである。加えて吸引管から送風機や圧縮ボンベによりフェースカバーに空気を送りフェースカバーの周辺から漏れる空気によりフェースカバー内に進入するミストを防ぐものである。また、軽度な煙やにおい、刺激臭等からの呼吸を助け、汚水等の噴出から顔への付着を防止する用途にも使用できる。【選択図】図２
0003125564.tif 000002
【実用新案登録請求の範囲】
【請求項１】
ヘアスプレー等の噴霧や、軽度な煙や臭いや刺激臭等から顔の皮膚を守ったり、呼吸を確保するためのフェースカバーにおいてプラスチック材やゴム材で略顔の表面の形状に形成し、少なくとも目に対応する位置付近を透視可能とし、鼻孔や口付近に呼吸可能な呼吸口を設けたもの。
【請求項２】
前記記載のフェースカバーにおいて、呼吸口にフィルタを取付、または着脱可能としたもの
【請求項３】
前記記載のフェースカバーにおいて呼吸口に送風管の端辺を接続し、送風管の他端から送風を行う送風機や圧縮ボンベを取付、または着脱可能としたもの。
【請求項４】
前記記載のフェースカバーにおいて、フェースカバーを手で支える摘み部や握り部、または耳に掛け保持する耳掻け部や、紐やゴム紐により保持する保持紐を設けたもの。
【請求項５】
前記記載のフェースカバーにおいて、前記記載のフェースカバーを肌に触れる周辺の端部の大きさに内面を打ち抜いた紙製やプラスチックの外枠板に取り付けたもの。
【考案の詳細な説明】
【技術分野】
【０００１】
本考案は、ヘアスプレー等の噴霧や、軽度な煙や臭いや刺激臭等から顔の皮膚を守ったり、呼吸を確保するためのフェースカバーに関するものである。
【背景技術】
【０００２】
従来、この種のフェースカバーには紙製の枠等にポリプロピレン等のフィルムを張り付けた使い捨てのものがある。また、美容院等で洗髪するとき顔に載せる製紙や繊維等で作られたフェースカバーがある。
【０００３】
例えば、把持部を有する紙製の枠に、ポリプロピレンフィルム、ポリスチレンフィルム、ポリエチレンテレフタラートフィルム及びナイロンフィルムから選ばれるフィルムを貼り付けたことを特徴とするフェイスカバー（特許文献１参照）。
フェースカバー（１）の、顔の鼻孔の位置に当たる鼻孔部（２）に、複数の通気孔（３）を設けたフェースカバー（特許文献２参照）
【特許文献１】特許公開２０００−９３２２９号公報（図１）
【特許文献２】特許公開平１１−３１３７１５号広報（図１）
【考案の開示】
【考案が解決しようとする課題】
【０００４】
然し乍ら、特許文献１はヘアスプレー時にフェースカバーが顔に密着しないためにスプレーが顔にかかりやすい、また、ミストタイプのスプレーではミストがそのままかかってしまう。
特許文献２は顔に載せるもので有り保持が出来ない、また、透視が出来なく見えないために一般にヘアスプレー行動や、他の行動が行えない。等の問題がある。
また、軽度な煙や臭いや刺激臭等から顔の皮膚や呼吸を守るものためのフェースカバーについて、呼吸器系を守るものとしてマスクが有るが、顔全体を守るものはない。また、例えば共同の臭いトイレを清掃したり、事務所等の床のクリーニングやワックスの塗布等や、家庭の殺虫剤散布等の様な大げさな防毒マスクをするまでもない作業に適したものがない。また、簡易なものとして、木製、銅製やセルロイド製のお面が有るが目に該当する部分が空いているためミスト等が流れ込む等の問題が有る。その上、木製や銅製は重く高価となりがちであり、セルロイドは燃えやすい等の問題もある。
【課題を解決するための手段】
【０００５】
本考案のフェースカバーは、前述の課題に鑑み、鋭意研鑽の結果、プラスチック材やゴム材を略顔の表面形状に形成し、少なくとも目に対応する位置付近を透視可能とし、鼻孔や口付近に呼吸可能な呼吸口を設け、呼吸口にフィルタを取付、または着脱可能とし、更には、呼吸口に送風管の端辺を接続し、送風管の他端から送風を行う送風機や圧縮ボンベを取付、または着脱可能とし、更にはフェースカバーを保持する為に、手で支える摘み部や握り部、または耳に掛け保持する耳掻け部や、紐やゴム紐により保持する保持紐を設けたものである。加えて、前記記載のフェースカバーを肌に触れる周辺の端部の大きさに内面を打ち抜いた紙製やプラスチックの外枠板に取り付けたものである。
【考案の効果】
【０００６】
本考案のフェースカバーはヘアースタイリング剤、カラーリング剤やブリーチ剤や増毛剤等をヘアースプレーする際に顔にこれらのヘアースプレー剤がかかるのを防止すると共に、肌や目や口からの吸入吸引等によるヘアースプレー剤から発生する障害や障害不安を取り除こうとするものであり、特にアレルギー症状やアトピー症状の人たちには効果の高いものである。
また、ヘアースプレーを行うとき以外にでも、煙や臭い、目などを刺激する刺激臭や噴出する汚水や溶液から呼吸や顔面への付着から肌を守る際にも使用でき、きわめて画期的で実用性の高い考案である。
【考案を実施するための最良の形態】
【０００７】
本考案は、フェースカバーに関するものであり、請求項１に記載のフェースカバーは、プラスチック材やゴム材により略顔の表面形状に形成し、顔に密着させることにより顔を覆い、少なくとも目に対応する位置付近を透視可能とし、フェースカバーを通しフェースカバーの外が見えるものとしたものであり、鼻孔や口付近に呼吸可能な呼吸口を設けたものである。
【０００８】
請求項２に記載のフェースカバーは、前記記載のフェースカバーにおいて、呼吸口にフィルタを取付たものや、フィルタを着脱可能としたものである。
【０００９】
更に、請求項３に記載のフェースカバーは、前記記載のフェースカバーにおいて呼吸口に送風管の端辺を接続し、送風管の他端から送風を行う送風機や圧縮ボンベを取付、または、着脱可能としたものである。
【００１０】
加えて、請求項４に記載のフェースカバーは、前記記載のフェースカバーにおいて、フェースカバーを手で支える摘み部や握り部、または耳に掛け保持する耳掻け部や、紐やゴム紐により保持する保持紐を設けたものである。
【００１１】
また、請求項５に記載のフェースカバーは、前記記載のフェースカバーにおいて、前記記載のフェースカバーを肌に触れる周辺の端部の大きさに内面を打ち抜いた紙製やプラスチックの外枠板に取り付けたものである。
【実施例】
【００１２】
以下、本考案のフェースカバーを実施例の図面によって具体的に説明すると、図１は本考案のフェースカバーの実施例１の立体図であり、図２は本考案のフェースカバーの実施例１の使用状態を示す立体図であり、図３は本考案のフェースカバーの実施例２の立体図であり、図４は本考案のフェースカバーの実施例２の使用状態を示す立体図であり、図５は本考案のフェースカバーの実施例３の立体図であり、図６は本考案のフェースカバーの他の実施例を示す立体図である。
【００１３】
以下、本考案のフェースカバーの実施例を図面により説明をすると、実施例１は図１に図示した如く、フェースカバーの本体１は略顔の表面形状に形成され目に該当する位置付近に透明で均一な面を持たせた透視部１４を配し、鼻腔や口付近には呼吸を可能とするための穴を設け呼吸口１３としたものである。鼻腔部付近の外側には手で保持しやすいようにへこみ部を設け保持部１０としたものである。図２は実施例１の使用状態を示すもので、本体１の外に髪３を出し、保持部１０を手６で持ち、顔２に当て、ヘアースプレー４より溶液５をスプレーしているところを示す。これによりヘアースプレー４からの溶液５が顔２にかかる事をフェースカバーの本体１が防止していることを示す。ここでの呼吸口１３は１つの大きな穴を示しているが複数の穴を設けても良いものである。また、ヘアースプレー４の噴出口から呼吸口１３を遠ざける為に筒状に長くし、先端付近に呼吸口１３を設ける様にしても良い。本体１を例えばフィルム、シート材を熱加工し形成することにより価格を低価格にすることが可能となり、少ない使用回数での使い捨てが可能になる。
【００１４】
実施例２は図３に図示した如く、フェースカバーの本体１は略顔の表面形状に形成され目に該当する位置付近に透明で均一な面を持たせた透視部１４を配し、鼻腔や口付近には呼吸を可能とするための呼吸口１２を配したものである。また、呼吸口１２の先にはフィルタ１５を取り付けたものである。呼吸口１２の外部は筒状とし手で保持し易い形状の保持部１１としたものである。また、フィルタ１５はねじ込み式で呼吸口１２から着脱可能としたものである。図４は実施例２の使用状態を示すもので、本体１の外に髪３を出し、保持部１１を手６で持ち、顔２に当て、呼吸口１２より呼吸しながら、ヘアースプレー４より溶液５をスプレーしているところを示す。フィルタ１５は呼吸時にヘアースプレーから出るミスト状の溶液を吸引しない様に空気を濾過したりするものや、消臭効果や、吸煙効果を加味したものとする。
【００１５】
実施例３は図５に示した如く、フェースカバーの本体１は略顔の表面形状に形成され目に該当する位置付近に透明で均一な面を持たせた透視部１４を配し、鼻腔や口付近は呼吸が可能とするための呼吸口１３を配し、送風管２０を結合する結合部１６を設けたものである。送風管２０は筒状の筒部４３と蛇腹２３での構成を示し、端辺に送風機２１を配し、吸引空気の流れ３０から吸気し、吸気の流れ３１、３２、３３と流れ、排出空気の流れ３４として本体１の外に排出させるものである。排出空気は顔との接触面付近から排出されたり、排出穴３７から排出されるものである。またこの排出する空気の流れにより、例えばヘアースプレーからの溶液のミストや、外煙や、煙を顔面付近から遠ざけ排除する気流を形成するものである。送風管２０は軟質のプラスチック材やゴム材を使用し、結合部１６でフェースカバーの本体１と着脱可能とした事を示す。また、図示しないが送風機にフィルターを付けたり、送風管２０にフィルタを組み込んでも良いものである。また、ここでは、送風管２０の端辺に送風機２１を取り付けてあるが、送風機２１の替わりに空気等の圧縮ボンベを取付送風しても良いものである。
【００１６】
ここで示すフェースカバーの本体１はプラスチックの板材、例えばＰＥＴ（ポリエチレンテレフタレート）のシート材を熱加工により略顔の表面形状に形成したものや、ポリプロピレンを成型して形成したものを示す。プラスチック材料はポリエチレンテレフタレート、ポリプロピレン、ＡＢＳ、ポリスチレン、ナイロン、アセチルセルロース、ポリ乳酸等の樹脂が適当と考えられる。材料は透明や半透明材を使用し、透視部分以外は顔が見えにくい様に表面に模様等を施したり色をつけたりしても良い。ゴム材は例えば透明性の高いシリコンゴム等で成型し形成する。透視部は透視率を向上させるために極薄にしても良い。また、これらの樹脂材の全体にＵＶカット加工を施し、紫外線よけとしてのフェースカバーとしても良いものである。ここで図示しないが、顔の大きさも人により多少は異なるため、大きさや形を複数作成しても良いものである。
【００１７】
図６は他の実施例を示し、（ａ）はフェースカバーの本体１の両側からフェースカバーを保持する保持紐３６を取り付けたもので、図示しないが、後頭部や首筋付近で結びとめるものを示す。また、図示しないが、保持紐３６をゴム紐とし、ゴムの弾性で保持しても良いものである。
【００１８】
図６（ｂ）は他の実施例を示し、顔型に形成したフェース部４１をフェースカバーを肌に触れる周辺の端部の大きさに内面を打ち抜いた外枠板３８に取り付け本体１としたものを示す。外枠３８は紙製やプラスチックの板材やスポンジ材の板材等で作成し、フェース部４１の貼付部４２を張り付けた状態を示す。
【００１９】
図６（ｃ）は他の実施例を示し、本体１の端辺の周辺に縁取４０を設けたものである。縁取４０は顔に当てた時に顔の面と密着性を増したり、顔の形状や大きさの違いを柔軟性により吸収するために縁を柔軟にしたものであり、スポンジ材を貼り付けたり、布材でスポンジ材を覆い縁部を形成しても良いものである。また、本体１の端辺の周囲全体にカールを設けても良いものである。
【産業上の利用可能性】
【００２０】
本考案のフェースカバーはヘアースタイリング剤、カラーリング剤やブリーチ剤や増毛剤等をヘアースプレーする際に顔にこれらのヘアースプレー剤がかかるのを防止すると共に肌や目や口からの吸入吸引等によるヘアースプレー剤から発生する障害や障害不安を取り除こうとするものであり、特にアレルギー症状やアトピー症状の人たちには効果の高いものである。
また、ヘアースプレーを行うとき以外にでも、煙や臭い、目などを刺激する刺激臭や噴出する汚水や溶液から呼吸の確保や顔面への付着から肌を守る際にも使用できる。また、紫外線よけや、美容室等での洗髪時のフェースカバーやパーマネント等のヘアースタイリング時の使用にも応用の範囲が広がるものである。
【図面の簡単な説明】
【００２１】
【図１】図１は本考案のフェースカバーの実施例１の立体図である。
【図２】図２は本考案のフェースカバーの実施例１の使用状態を示す立体図である。
【図３】図３は本考案のフェースカバーの実施例２の立体図である。
【図４】図４は本考案のフェースカバーの実施例２の使用状態を示す立体図である。
【図５】図５は本考案のフェースカバーの実施例３の立体図である。
【図６】図６は本考案のフェースカバーの他の実施例を示す立体図である。
【符号の説明】
【００２２】
１  本体
２  顔
３  髪
４  ヘアスプレー
５  溶液
６  手
１０、１１  保持部
１２、１３  呼吸口
１４  透視部
１５  フィルタ
１６  結合部
２０  送風管
２１  送風機
２２  電源コード
２３  蛇腹
３０、３１、３２、３３  吸引空気の流れ  
３４  排出空気の流れ
３５  耳掛け部
３６  保持紐
３７  排出穴
３８  外枠板
３９  取手
４０  縁取
４１  フェース部
４２  貼付部
４３  筒部
【図１】
0003125564.tif 000003
【図２】
0003125564.tif 000004
【図３】
0003125564.tif 000005
【図４】
0003125564.tif 000006
【図５】
0003125564.tif 000007
【図６】
0003125564.tif 000008
【手続補正書】
【提出日】平成18年7月10日(2006.7.10)
【手続補正１】
【補正対象書類名】実用新案登録請求の範囲
【補正対象項目名】全文
【補正方法】変更
【補正の内容】
【実用新案登録請求の範囲】
【請求項１】
ヘアスプレー等の噴霧や、軽度な煙や臭いや刺激臭等から顔の皮膚を守ったり、呼吸を確保するためのフェースカバーにおいてプラスチック材やゴム材で略顔の表面の形状に形成し、少なくとも目に対応する位置付近を透視可能とし、鼻孔や口付近に呼吸可能な呼吸口を設けたもの。
【請求項２】
前記請求項１記載のフェースカバーにおいて、呼吸口にフィルタを取付、または着脱可能としたもの
【請求項３】
前記請求項１〜２いずれか記載のフェースカバーにおいて呼吸口に送風管の端辺を接続し、送風管の他端から送風を行う送風機や圧縮ボンベを取付、または着脱可能としたもの。
【請求項４】
前記請求項１〜３いずれか記載のフェースカバーにおいて、フェースカバーを手で支える摘み部や握り部、または耳に掛け保持する耳掻け部や、紐やゴム紐により保持する保持紐を設けたもの。
【請求項５】
前記請求項１〜４いずれか記載のフェースカバーにおいて、前記記載のフェースカバーを肌に触れる周辺の端部の大きさに内面を打ち抜いた紙製やプラスチックの外枠板に取り付けたもの。
【手続補正２】
【補正対象書類名】明細書
【補正対象項目名】０００８
【補正方法】変更
【補正の内容】
【０００８】
請求項２に記載のフェースカバーは、前記請求項１記載のフェースカバーにおいて、呼吸口にフィルタを取付たものや、フィルタを着脱可能としたものである。
【手続補正３】
【補正対象書類名】明細書
【補正対象項目名】０００９
【補正方法】変更
【補正の内容】
【０００９】
更に、請求項３に記載のフェースカバーは、前記請求項目１〜２いずれか記載のフェースカバーにおいて呼吸口に送風管の端辺を接続し、送風管の他端から送風を行う送風機や圧縮ボンベを取付、または、着脱可能としたものである。
【手続補正４】
【補正対象書類名】明細書
【補正対象項目名】００１０
【補正方法】変更
【補正の内容】
【００１０】
加えて、請求項４に記載のフェースカバーは、前記請求項１〜３いずれか記載のフェースカバーにおいて、フェースカバーを手で支える摘み部や握り部、または耳に掛け保持する耳掻け部や、紐やゴム紐により保持する保持紐を設けたものである。
【手続補正５】
【補正対象書類名】明細書
【補正対象項目名】００１１
【補正方法】変更
【補正の内容】
【００１１】
また、請求項５に記載のフェースカバーは、前記請求項１〜４いずれか記載のフェースカバーにおいて、前記記載のフェースカバーを肌に触れる周辺の端部の大きさに内面を打ち抜いた紙製やプラスチックの外枠板に取り付けたものである。